【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
インクジェット印刷システムのインクジェット液滴を可視化するための装置であって、
可視化デバイスと、
インクジェット印刷システムのインクジェット液滴を散布することができる１又はそれ以上のインクジェットデバイスと、インクジェット印刷システムの基板支持部の基板受容表面との間にレーザを方向づけるよう位置決めされたレーザ光源と、
大きさ、速度、軌跡、着地位置の液滴情報に基づいて、インクジェット液滴の軌跡を制御する液滴コントローラとを含む装置。
【請求項２】
インクジェット液滴を可視化するための装置は、インクジェット液滴の大きさ及び速度を測定し、インクジェット液滴の軌跡を撮影する請求項１記載の装置。
【請求項３】
インクジェット印刷システムから散布されたインクジェット液滴の大きさ、速度、軌跡を制御するための装置であって、
インクジェット印刷システムと、
基板受容表面を有する基板支持部と、
集積化されたインクジェット液滴可視化モジュールであって、散布されたインクジェット液滴の大きさ及び速度を測定し、散布されたインクジェット液滴の軌跡を撮影し、散布されたインクジェット液滴の測定された大きさ及び速度と撮影された軌跡のデータに基づいて、インクジェット印刷システムに制御信号を送るモジュールと、
制御信号に応答してインクジェット液滴の軌跡を制御するように構成されたインクジェットコントローラを備えた装置。
【請求項４】
インクジェット印刷システムはインクジェット印刷モジュールを備え、
インクジェット液滴コントローラは、集積化されたインクジェット液滴可視化システムにより収集された散布されたインクジェット液滴の測定された大きさと速度及び撮影された軌跡の情報に基づいて、インクジェット印刷モジュールをを制御する請求項３記載の装置。
【請求項５】
インクジェット印刷モジュールは、１又はそれ以上の色のインクを散布することができる１又はそれ以上のインクジェットデバイスを備えた請求項４記載の装置。
【請求項６】
液滴可視化モジュールは、
可視化デバイスと、
レーザー光源と、
レーザ光源と可視化デバイスを制御する可視化システムコントローラと、
プロセッサを含む請求項３記載の装置。
【請求項７】
インクジェット液滴の大きさ及び速度の均一性を向上するための方法であって、
集積化されたインクジェット液滴可視化モジュールを用い、インクジェット印刷システムから散布されたインクジェット液滴の大きさ、速度及び軌跡の情報を収集し、
散布されたインクジェット液滴の大きさ、速度及び軌跡の収集された情報により、インクジェット印刷システム内でインクジェット液滴の軌跡を制御することを含む方法。
【請求項８】
散布されたインクジェット液滴の大きさ、速度及び軌跡は、ナノセカンドのレーザ光源を用い、インクジェット液滴の少なくとも１つが可視化デバイスの正面を移動するときに、散布されたインクジェット液滴の少なくとも１つを２回露光し、散布された少なくとも１つのインクジェット液滴の少なくとも２つの画像を撮影し、散布されたインクジェット液滴の少なくとも１つの大きさ、速度及び軌跡を決定する請求項７記載の方法。
【請求項９】
インクジェット印刷システムから散布されたインクジェット液滴を可視化するための方法であって、
インクジェット印刷システムから散布されたインクジェット液滴に対して、第１位置で、レーザ光源の第１パルスを照射し、
レーザ光源の第１パルスにより照射されたインクジェット液滴の第１画像と、第１位置におけるレーザ光源の第１パルスの時間を記録し、
第１位置から第２位置に移動するインクジェット液滴に対して、レーザ光源の第２パルスを提供し、
レーザ光源の第２パルスにより照射されたインクジェット液滴の第２画像と、第２位置におけるレーザ光の第２パルスの時間を記録し、
第１画像及び第２画像から得られたデータに応答して、インクジェット液滴の軌跡を制御する方法。
【請求項１０】
第１及び第２の画像からインクジェット液滴の大きさを決定することを含む請求項９記載の方法。
【請求項１１】
第１及び第２の画像から、及びレーザ光源の第１及び第２パルスの記録された時間から、インクジェット液滴の速度を決定することを含む請求項９記載の方法。
【請求項１２】
第１及び第２の画像から、及びレーザ光源の第１及び第２パルスの記録された時間から、インクジェット液滴の軌跡を決定することを含む請求項９記載の方法。
【請求項１３】
第１及び第２の画像から、及びレーザ光源の第１及び第２パルスの記録された時間から、インクジェット液滴の着地位置を決定することを含む請求項１０記載の方法。
【請求項１４】
インクジェット液滴が１又はそれ以上のデバイスと基板受容表面に配置された基板の間を移動する時に、レーザ光源は１又はそれ以上のデバイスから散布されたインクジェット液滴にレーザを方向づけるように位置決めされる請求項１記載の装置。
【請求項１５】
画像分析器と、
可視化デバイス及びレーザ光源を制御する可視化システムコントローラと、
プロセッサを備え、
レーザ光源、可視化デバイス、画像分析器、可視化システムコントローラ及びプロセッサは液滴可視化システムを形成し、液滴可視化システムはインクジェット液滴の大きさ及び速度を測定し、インクジェット液滴の軌跡を撮影する請求項１記載の装置。
【請求項１６】
液滴可視化システムは、液滴可視化システムにより撮影されたインクジェット液滴の軌跡から、基板支持部の基板受容表面上の基板上におけるインクジェット液滴の着地位置を決定する請求項１５記載の装置。
【請求項１７】
液滴コントローラは、可視化デバイスから得られた液滴の速度又は大きさに応答して、インク散布を制御するように構成されている請求項１記載の装置。
【請求項１８】
液滴コントローラは、可視化デバイスから得られた液滴の速度又は大きさに応答して、インク散布を制御するように構成されている請求項３記載の装置。
【請求項１９】
制御は、可視化モジュールから得られた液滴の軌跡のデータに応答して、インク散布を制御することを含む請求項７記載の方法。
【請求項２０】
集積化されたインクジェット液滴可視化モジュールの使用は、インク液滴に２回レーザパルスを照射し、液滴の２つの画像を得る請求項１９記載の方法。
【請求項２１】
制御は、可視化モジュールから得られた液滴の軌跡のデータに応答して、インク散布を制御することを含む請求項９記載の方法。
【請求項２２】
制御は、可視化モジュールから得られた液滴の速度又は大きさのデータに応答して、インク散布を制御することを含む請求項９記載の方法。
【請求項２３】
インクジェット印刷システムから散布されたインクジェット液滴の軌跡を制御するための装置であって、
インクジェット液滴にレーザを方向づけるように位置決めされたレーザ光源と、
可視化モジュールから得られた軌跡データに応答して、インク散布の軌跡を制御するように構成された液滴コントローラとを備えた装置。
【請求項２４】
インク液滴にレーザ光源からレーザパルスを２回照射するように構成された可視化コントローラを備えた請求項２３記載の装置。
【請求項２５】
インクジェット印刷システムから散布されたインクジェット液滴の軌跡を制御するための方法であって、
インクジェット液滴を散布し、
レーザ光の第１パルスをインクジェット液滴に方向づけ、
レーザ光の第２パルスをインクジェット液滴に方向づけ、
レーザ光の第１及び第２パルスから得られた液滴の軌跡のデータに応答して、インク散布の軌跡を制御する方法。